(57)【特許請求の範囲】
【請求項１】
ラックの垂直部材および／または水平部材を形成する、スイッチキャビネットまたは分電盤用のラックのフレーム部材であって、
開放状態あるいは閉鎖状態の中空部材を形成するために、相互に嵌合する複数の部材区分（１１，１２，１３，１４，１５，１６，１７）を備え、
‐２つの第１部材区分（１１，１４）は複数の取付け孔（１１´，１４´）を備え、それぞれの部材区分（１１，１４）の第１表面が外側組立面（Ｍ１，Ｍ１´）を決定し、
‐２つの第２部材区分（１５，１７）によって、前記ラックの内部領域の封止用の封止面（Ｄ１，Ｄ１´）が定められ、
‐前記外側組立面（Ｍ１，Ｍ１）が、前記封止面（Ｄ１，Ｄ１´）によって前記ラックの前記内部領域にずらされ、
‐前記第１部材区分（１１，１４）の前記取付け孔（１１´，１４´）が前記ラックの前記内部領域から乖離する方向を向き、
前記２つの第１部材区分（１１，１４）と２つの第３部材区分（１２，１３）は断面が正方形の中空チャンバ部を囲み、
前記２つの第１部材区分（１１，１４）は前記２つの第２部材区分（１５，１７）に切替わり、
当該２つの第２部材区分（１５，１７）は前記２つの第１部材区分（１１，１４）に対して垂直に延び、
前記２つの第２部材区分（１５，１７）は第４部材区分（１６）を介して相互に接続される、
フレーム部材であって、
前記２つの第２部材区分（１５，１７）はそれぞれ、折り曲げ部を介して折り返して曲げ戻され、前記２つの第２部材区分（１５，１７）の自由端領域によって前記封止面（Ｄ１，Ｄ１´）が前記２つの第２部材区分（１５，１７）の折り返し部に対して垂直に定められる
ことを特徴とするフレーム部材。
【請求項２】
前記第２部材区分（１５，１７）が前記第１部材区分（１１，１４）と異なることを特徴とする請求項１に記載のフレーム部材。
【請求項３】
前記外側組立面（Ｍ１，Ｍ１´）が前記封止面（Ｄ１，Ｄ１´）に対して平行であることを特徴とする請求項１に記載のフレーム部材。
【請求項４】
前記第３部材区分（１２，１３）が複数の取付け孔（１２´，１３´）を有し、
当該取付け孔は前記ラックの内部領域に面し、
前記第３部材区分（１２，１３）の表面によって、第１内側組立面が定められることを特徴とする請求項１に記載のフレーム部材。
【請求項５】
前記第１内側組立面が前記外側組立面（Ｍ１，Ｍ１´）に対して平行であることを特徴とする請求項４に記載のフレーム部材。
【請求項６】
少なくとも１つの請求項１〜５のうちの１項に記載のフレーム部材と共に使用される、方形のベースプレート（１７１）を備える取付け用パネルであって、
当該取付け用パネルは、少なくとも１つの側面に丸み付け部（１７２，１７２´）を有し、
当該丸み付け部（１７２，１７２´）は折返し部（１７３，１７３´）に続き、
当該折返し部（１７３，１７３´）は、前記外側組立面（Ｍ１，Ｍ１）と接触するまで、前記ベースプレートに対して平行な方向に延びることを特徴とする取付け用パネル。
【発明の詳細な説明】
【技術分野】
【０００１】
本発明はスイッチキャビネットまたは分電盤用のラックのフレーム部材に関連し、当該フレーム部材は前記ラックの垂直部材および／または水平部材をなし、複数の部材区分からなり、当該複数の部材区分は、開放状態あるいは閉鎖状態の中空部材を形成するために、相互に少なくとも部分的に嵌合する。
【背景技術】
【０００２】
例えば、そのようなフレーム部材はＤＥ  １９５  ３６９５０  Ｃ１で知られている。そこでは、スイッチキャビネットのラック用のフレーム部材が示され、当該フレーム部材は断面対角線に対して鏡像状になるように構成され、前記ラックの外側に垂直に並んだ２つの部材側部を有する。これらは取付け孔を備え、接続区分を介して相互に接続される。全体として、記載された開放状態あるいは閉鎖状態の部材は４つの組立面からなり、当該組立面は全て、前記フレーム部材から組立てられた前記ラックの内部領域から利用可能である。
【０００３】
スイッチキャビネットの内部空間内への取付け用パネルの架設は、しばしば無視できない組立費用が必要になる。したがって、ＥＰ  １  ５８７  １９１  Ｂ１に記載の、底領域に水平および垂直フレーム部材からなるラックを有するスイッチキャビネット構造において、ガイドレールが前記ラックに取り付けられ、前記取付け用パネルは当該ガイドレールに配置され、後壁の方向でスライドさせることができる。前記ガイドレールに導かれる前記取付け用パネルの底辺が、最終位置に到達すると、それは傾斜した挿入位置から垂直に整列され、前記ラックの上部領域、好適には、上部水平フレーム部材に接する専用保持要素を有する。前記取付け用パネルの挿入のために、前記取付け用パネルの底辺はガイド要素を備え、当該ガイド要素もまた前記ガイドレール上の前記取付け用パネルの固定配置のために使用され得る。セットされた取付け要素は前記保持要素を利用しにくくするので、前記ガイドレールに加えて、前記ガイド要素および前記保持要素は実行するのが困難な組立作業が追加される。このため、ＥＰ  １  ５８７  １９１  Ｂ１では、下部保持要素のそれぞれを側壁および／または隣接する底壁に接する前方に取付け、前記下部保持要素は当該側壁および／または隣接する底壁に、前記側壁の内側の取付けブロックの後側を介して隣接するかあるいは取り付けられる。一方で、前記取付けブロックの下部は前記底壁から立上るかあるいはそれに取り付けられる。上部保持要素は前記側壁の内側に位置する後部フランジが設けられ、接触ブロックが前記フランジに隣接し、接触面に隣接する前側との所定の距離を定める。
【０００４】
ＤＥ  ３３  ００  ０６６  Ａ１は、取付け用パネルを簡便かつ容易に、スイッチングシステム用の使用面積をできるだけ減少させずに、据付け得るように、スイッチキャビネットを構成するという目的を有する。このため、前記取付け用パネルはキャビネットハウジングの後壁を形成するように設計され、それによって、完全に組立てられそして配線された、それ故に重い前記取付け用パネルは前記キャビネットの後壁として配置される必要がある。けれども、この手順はほこりや湿気を防ぐために、前記スイッチキャビネットを周囲から封止できなくなっている点で不利である。
【先行技術文献】
【特許文献】
【０００５】
【特許文献１】ＤＥ  １９５  ３６９５０  Ｃ１
【特許文献２】ＥＰ  １  ５８７  １９１  Ｂ１
【特許文献３】ＤＥ  ３３  ００  ０６６  Ａ１
【特許文献５】ＤＥ  １０  ２０１４  １０１  ４０２．２
【発明の概要】
【発明が解決しようとする課題】
【０００６】
本発明の目的は、据付けオプションを拡張し、それでもなお、スイッチキャビネットが周囲のほこりや湿気から良好に封止できるように、上述の種類のフレーム部材をさらに改良することである。
【０００７】
この目的は請求項１におけるフレーム部材によって達成される。有利な実施例は関連する従属請求項の主題である。本発明における少なくとも１つのフレーム部材と共に使用されるパネルは請求項９に示されている。請求項１０にはフレームベースのスイッチキャビネットまたは分電盤の内部用の部品の組立方法と実施例が記載され、当該実施例は、今度は従属請求項に記載される。
【課題を解決するための手段】
【０００８】
本発明によれば、少なくとも１つの第１部材区分をフレーム部材は有し、当該部材区分は複数の取付け孔を有し、第１表面は外側組立面に固定される。少なくとも１つの第２部材区分によって、封止面がラックの内部領域を封止し、前記外側組立面は前記封止面によって前記ラックの前記内部領域のへずらされる。前記第１部材区分の前記取付け孔は前記ラックの前記内部領域から乖離する方向を向く。これは、部材のタイプによって、これらの取付け孔が基本的に前記ラックの外側からのみ利用可能であることを意味する。なぜなら、例えば前記ラックにおけるそれらが中空部材の部材側面の外側に設けられる、あるいは、例えばそれらがフランジ形状部に貫通孔として形成され、当該貫通孔は実際に内部及び外側領域から利用可能で、しかし、組立オプションは外側からなので、本発明によれば、それらもまた、前記ラックの前記内部領域から乖離する方向を向くからである。
【０００９】
本発明は外側からラックを利用可能にすることを可能にし、当該ラックは、必要ならば前記封止面の内側にずらされる前記組立面を取り囲み、スイッチキャビネットの封止領域内におさまり、それによって、これまでよりも簡単に、少なくとも一部の内装用の部品を取付ける条件が成立し、さらに、全ての必要なタイプの保護が提供されてもよい。取付け用フレームは、並んだ孔を従来の方法で備えてもよく、そして、外側からの複数の取付けオプションを提供し、ストックされ、ひいては非常に重い取付け用フレームを静止状態で維持し、ラックを取付位置に移動させることでさえ考えられる。
【００１０】
本発明の構想は様々な組立オプションを可能にし、一変形例によれば、前記取付け孔が前記封止面も定める同一の部材区分に備えられ得る。しかしながら、好適には、前記内部領域の封止のための封止面を定める前記第２部材区分は前記第１部材区分とは別である。
【００１１】
前記組立面と前記封止面の間の位置関係がずれることは考えられるが、より好適には、前記第１組立面は前記封止面に平行に延びてもよい。
【００１２】
第３部材区分が複数の取付け孔を備えるという事実によって、拡張据付けオプションが獲得され、当該第３部材区分は前記ラックの前記内部領域を向き、第２組立面は前記取付け孔によって定められる。これは、例えば取付け用パネルが外側と内側の両方から据付け可能であることを保証し続ける。
【００１３】
好適には前記第２組立面は前記第１組立面に対して平行に延びる。
【００１４】
前記封止面は平面状部材区分によって、あるいは折返し部材区分の自由端によって定められてもよい。簡便な部材は、相互に合わせられた２つの部材区分の自由端部によって定められるようにでき、それによって、これらの部材区分は異なる特性を有することができる。このような部材は同一出願日に提出されたドイツ特許出願ＤＥ  １０  ２０１４  １０１  ４０２．２に記載されている。
【００１５】
少なくとも１つの本発明のフレーム部材と共に使用される、実質的に方形のベースプレートを備える取付け用パネルは、少なくとも１つの側面に丸み付け部を有し、当該丸み付け部は前記ベースプレートの縁に対して平行な方向に、前記第１組立面上で延びる。それによって、前記取付け用パネルは、前記組立面の並んだ孔に直接ネジ止めされ得る。このため、位置および固定の補助が使用され得る。
【００１６】
ラックベースのスイッチキャビネットまたは分電盤の内部用の部品の取付けの一方法は以下のステップを備える。
ａ）少なくとも１つのフレーム部材が本発明のフレーム部材であるフレーム部材からなるラックを用意するステップ。
ｂ）前記フレーム部材に封止面を決定するステップ。
ｃ）前記ラックの内部領域から離れる方を向き、
前記ラックの内部領域の方に前記封止面からずれていて、
取付け孔が前記ラックの内部領域から乖離する方向を向いている、
前記フレーム部材の組立面を選択するステップ。
ｄ）選択された組立面に少なくとも１つの部品を取付けるステップ。
および、
ｅ）前記封止面を封止するステップ。
【００１７】
この方法は、例えばロックの、外側からの垂直フレーム部材への組立を可能にする。それによって、前記ロックは封止領域内におさまる。しばしば部品は２つ以上の部材に取付けられ、それでステップｃ）の後に、別のフレーム部材のためにステップｂ）とステップｃ）を繰り返すことが好適である。それから、１つのあるいは複数の部品は第１フレーム部材の組立面に、そして第２フレーム部材の組立面に取付けられてもよい。このように、取付けレール、取付け用シャーシ、取付け用プレート、隔壁、あるいは類似品が据付けられてもよい。
【図面の簡単な説明】
【００１８】
以下に、本発明を添付図面を参照して、単なる実施形態としてより詳細に説明する。図面は正確な縮尺ではない。
【図１】本発明における第１実施例のフレーム部材の断面図である。
【図２】取付けられたロックを有する図１のフレーム部材の平面図である。
【図３】ラックの角部領域と、図１における垂直部材およびそこに蝶番で止められるパネルの斜視図である。
【図４】２つの図１におけるフレーム部材を含む断面図である。
【図５】図１におけるフレーム部材と、取付けられた取付け用シャーシの斜視図である。
【図６】図１における垂直フレーム部材とそこに取付けられた取付け用シャーシおよび取付けレールを含む、ラックの角部領域の斜視図である。
【図７】ほこりや湿気を封止するラックの内部空間を遮蔽するための平面状片の取付けの断面図が示される。
【図８】本発明における第２実施例のフレーム部材の断面図である。
【図９】図８におけるフレーム部材の斜視図である。
【図１０】本発明における第３実施例のフレーム部材の断面図である。
【図１１】本発明における第４実施例のフレーム部材の断面図である。
【図１２】本発明における第５実施例のフレーム部材の断面図である。
【図１３】図１０におけるフレーム部材が実装され得るさまざまな組立面の概略図である。
【図１４】ラックの床面領域用の、本発明における１つの実施例の水平部材の断面図である。
【図１５】ルーフ領域に架設するための、図１４における水平部材の構造位置である。
【図１６】図１４における水平部材と、図１および図２における垂直部材と、から組立てられるラックの部分図である。
【図１７】ラックの角部と、パネルの組立を補助するための保持片である。
【図１８】図１７の保持片の補助によるパネルの据付けの図である。
【図１９】ラックの上側角部と、パネルの先付用のバネクリップである。
【発明を実施するための形態】
【００１９】
図１は本発明における第１実施例のフレーム部材１０の断面図を示し、当該フレーム部材１０はスイッチキャビネットまたは分電盤用のラックにおいて使用される。前記フレーム部材１０は垂直部材および／または水平部材とすることが可能で、複数の部材区分１１，１２，１３，１４，１５，１６，１７からなり、当該部材区分は、閉鎖状態の中空部材を形成するために、相互に嵌合する。本質的に、部材区分１１，１２，１３，１４は角形断面を有する中空チャンバ部を囲み、部材区分１１と１４はそれらに対して垂直な部材区分１７と１５に嵌合し、当該部材区分１７と１５は折り返して曲げ戻され、他端が部材区分１６を介して相互に接続される。部材区分１５と１７の自由端領域はラックの、各フレーム部材１０から組立てられる外縁を形成し、ひいては、描かれた実施例においては、部材区分１５と１７の折り曲げ部に対して垂直に示される封止面Ｄ１、或いはＤ１´を定める。前記封止面Ｄ１，Ｄ１´のそれぞれの垂直の部材は絶対に必要ではないが、たいていのラック付きの構造状況において有用である。図７に関連して後で説明するように、前記封止面Ｄ１，Ｄ１´は、適切なシールと平面状部品を伴って前記ラックの外側領域へのインターフェイスを形成する。図１に示される構成で、前記中空チャンバ部を囲む前記部材区分１１，１２，１３，１４は、それぞれが取付け孔１１´，１２´，１３´，１４´を備える。当該分野で周知のように、前記取付け孔１１´，１２´，１３´，１４´は、多彩な構成における並んだ孔であり得る。封止面Ｄ１を示す部材区分１１の表面によって、平面状片あるいは側壁が取付けられない限り、組立面Ｍ１はラックの外側から利用可能であるように定められる。よって、様々な部品が容易に取付け可能で、当該部品はそれでもなお、前記スイッチキャビネットの封止領域内に位置する。同様に、封止面Ｄ１´を示す部材区分１４の表面によって、組立面Ｍ１´は定められ、当該組立面Ｍ１´は同様に上述のように外側から利用可能で、そして、後で完成するスイッチキャビネットの封止領域内への部品の取付けが可能である。他の配置構成が可能であるかもしれないが、図示された本実施例において、前記組立面Ｍ１，Ｍ１´は前記封止面Ｄ１，Ｄ１´に対して平行に描かれている。前記ラックの内部領域の組立は、前記部材区分１２，１３に備えられる前記取付け孔１２´，１３´によって接続される。
【００２０】
図２は、ロック１００がどのように図１におけるフレーム部材１０に取付けられるかの一例を示す。前記ロック１００は標準部品で、図２において既に取付け孔１４´にネジ止めされている１つだけのネジ１０１によって、フレーム部材にネジで取付けができる。前記ロック１００は、部材区分１４と１５の間の角部領域、ひいてはフレーム部材１０の封止領域内に位置する。前記ロック１００の組立の影響を受けることなく、例えば部材区分１３の取付け孔１３´に別の部品を固定する選択肢は残る。
【００２１】
図３は、図１における、そして、垂直フレーム部材１０へのパネル１０２の取付け部の外側からの取付けとしての、前記垂直フレーム部材１０と前記ラックの角部の斜視図を示す。このため、２つの蝶番１０３，１０４が、相互に距離をおいて、前記組立面Ｍ１´（図１参照）の前記取付け孔１４´内に配置され、当該蝶番は前記パネル１０２の一部を回動可能に保持する。前記パネル１０２の一部が矢印Ａの方向に回動する場合、前記封止面Ｄ１´の背後の前記封止領域内に完全に入る。
【００２２】
図４においては、２つの図１におけるフレーム部材１０，１０´が、封止面Ｄ１，Ｄ１´が並ぶように配置されている。同一のフレーム部材１０，１０´では、前記組立面Ｍ１，Ｍ１´もまた一致し、模式的に描かれた部品Ｋによって示されるように、対応する部材区分が部品の取付けのために使用される。
【００２３】
以下は、図５においてより詳細に図示された取付け用シャーシ１１０の例である。図１におけるフレーム部材１０は、部材区分１５，１７が視線方向の右側を向く垂直フレーム部材として配置され、前記取付け孔１１´が正面から部材区分１１に見え、当該取付け孔１１´は、外側を向く前記組立面Ｍ１を定める（図１参照）。縁部領域に設置される固定フック（図示せず）を有する前記取付け用シャーシ１１０は、最初に適切な前記部材区分１１の前記取付け孔１１´に吊るされる（隣接するフレーム部材も同様であるが、当該隣接するフレーム部材は図中では見えない）。前記取付け用シャーシ１１０を前記縁部領域の孔１１１，１１２は、それから前記部材区分１１の前記取付け孔１１´の孔の並びに被せられる。前記取付け用シャーシ１１０は、例えばネジ止めによって、実際に外側から簡単に、組立時に前記ラックの内部領域を占める必要もなく、前記フレーム部材１０に固定されることができる。前記取付け用シャーシ１１０は、完全に前記スイッチキャビネットの前記封止領域内に適切な寸法で配置され、故に、外側から見ると、前記封止面Ｄ１，Ｄ１´の背面に位置する（図４参照）。
【００２４】
図６はラックの角部と図１における垂直フレーム部材１０の斜視図であり、当該垂直フレーム部材１０に複数の取付け用シャーシ１１０，１１０ａ，１１０ｂ，１１０ｃが図５と関連して記載された方法で取付けられ、同様に複数の取付け用レール１１５，１１５ａ，１１５ｂ，１１５ｃが前記フレーム部材１０（および隣接する部材区分）に固定され、多様な実装オプション、そしてまた改造、転換処理が外側から行える。
【００２５】
図７は前記ラックの封止領域が、扁平片１２０、例えば側壁によってどのように封止されるかを示す。図７において一部だけが見られる前記フレーム部材１０の部材区分１５に、シール１３０が配置される。必要ならば、そのようなシールは図７には図示されていない隣接するフレーム部材の対応する部材区分に設けられる。前記扁平片１２０は前記フレーム部材１０と一緒にネジ止めされ、補助掛金１２１が使用され、当該補助掛金１２１の輪郭は、前記フレーム部材１０の前記部材区分１４，１５の輪郭にぴったりと嵌り、それからさらに部材区分１４に平行に延びる。前記補助掛金１２１はネジ１２２によって、前記部材区分１４の取付け孔１４´に取り付けられる。当該補助掛金１２１において、前記部材区分１４に平行に、ケージナット１２３が挿入され、当該ケージナット１２３は前記扁平片１２０用の取付けネジ１２４を受け入れる。前記取付けネジ１２４は、複数の係止ラグ１２５を有し、それで、一度前記ネジ１２４が前記扁平片１２０に設けられた孔を通過して動かされれば、前記ネジ１２４は記扁平片１２０においてずれないように保持され、すぐに前記係止ラグ１２５が前記孔にかぶさる。前記扁平片１２０は前記シール１３０に配置され、それで前記ケージナット１２３と組になる前記ネジ１２４用の孔が覆われる。前記ネジ１２４を増し締めすることによって、前記扁平片１２０は前記シール１３０に確実に据付けられ、それでほこりや湿気に入り込まれることを防ぐ。前記封止領域の外側、ひいては前記部材区分１５と１７（図１参照）に接続される部材区分１６の領域内において、前記扁平片１２０は折曲部１６を有することができる。
【００２６】
図８は本発明における別の実施例のフレーム部材２０の断面図を示す。このフレーム部材２０はダブルチャンバ部材として構成され、チャンバ部Ｔ２，Ｔ２´が接続ブリッジとして構成された部材区分２６を介して相互に接続される。前記部材区分２６に隣接する前記チャンバ部Ｔ２，Ｔ２´は、ツバメの尻尾型の後部区分を形成する。部材区分２５．１と２７．１は、前記部材区分２６のそれぞれの側に約１３５度の角度で隣接し、平面状部材区分２５と２７に合流し、前記フレーム部材２０の当該平面状部材区分２５と２７は、それぞれ封止面Ｄ２，Ｄ２´を定める。部材区分２５．２と２７．２は、前記平面状部材区分２５，２７に垂直に隣接し、当該部材区分２５．２と２７．２は、今度は前記平面状部材区分２５，２７に平行な部材区分２４と２１に切替わり、当該部材区分２４と２１の表面（取付け孔は図示せず）によって組立面Ｍ２，Ｍ２´は定められ、当該組立面Ｍ２，Ｍ２´は外側から利用可能であるが、当該組立面Ｍ２，Ｍ２´はそのようなフレーム部材２０からなるラックの封止領域内に位置する。追加の取付け孔は、前記チャンバ部Ｔ２，Ｔ２´を囲む部材区分２１．１，２２および２３，２４．１に設けられてもよい。
【００２７】
図９は、前記部材区分２５．１と２７．１、および連結する部材区分２６の平面図における図８のフレーム部材２０を示し、本実施例では、当該部材区分２６は、いくつかの縦に間隔をとって並んだ孔２６´を有する。前記部材区分２１と２４の取付け孔２１´と２４´が確認でき、図示された実施例において、当該取付け孔２１´と２４´は、直径の異なる孔２１．１´，２１．２´、あるいは２４．１´，２４．２´が交互に並ぶように構成される。
【００２８】
図９は本発明における第３実施例のフレーム部材３０の断面図を示す。図８におけるフレーム部材２０と同様に、２つのチャンバ部Ｔ３，Ｔ３´がこの中空の部材に備えられ、当該２つのチャンバ部Ｔ３，Ｔ３´は相互に向い合い、そして接続ブリッジとして構成された部材区分３６を介して相互に接続される。前記チャンバ部Ｔ３，Ｔ３´は相互に部材区分３２と３３で当接し、それで第３のチャンバ部Ｔ３´´が形成され、当該第３のチャンバ部Ｔ３´´は前記フレーム部材３０のねじり剛性を向上させる。前記部材区分３６に隣接し、前記部材区分３６に対して約１３５度の角度で延びる部材区分３５．１と３７．１が付き、当該部材区分３５．１と３７．１のそれぞれが平面状部材区分３５，３７に切替わり、当該部材区分３５，３７は封止面Ｄ３，Ｄ３´を決定する。部材区分３５．２と３７．２はそれぞれ部材区分３５と３７に隣接して垂直に延び、当該部材区分３５．２と３７．２は、今度は前記部材区分３５．２と３７．２に垂直な部材区分３１と３４に切替わる。これらの部材区分３４，３１の表面（再度、取付け孔は図示せず）を示す封止面Ｄ３´とＤ３によって組立面Ｍ３，Ｍ３´は定められ、図示されたフレーム部材３０の実施例において、当該組立面Ｍ３，Ｍ３´は前記封止面Ｄ３´とＤ３に平行に延びる。
追加の取付け孔は、中空のチャンバ部Ｔ３の境界となる部材区分３１．１，３２、および中空のチャンバ部Ｔ３´の境界となる部材区分３３，３４．１に設けられてもよい。
【００２９】
図１１は本発明における第４実施例のフレーム部材４０の断面図を示し、当該フレーム部材４０はシングルチャンバ中空部材として構成される。前記フレーム部材４０は角度の付いた部材区分４６によって接続される２つの平面状部材区分４５と４７を有し、当該部材区分４５と４７はそれぞれ、封止面Ｄ４´とＤ４を定める。９０度の角度で、前記フレーム部材４０から作られるラックの内側方向にずらされて、部材区分４４と４１は部材区分４５．２と４７．２に隣接し、当該部材区分４４と４１の表面は組立面Ｍ４´とＭ４を定め、当該組立面Ｍ４´とＭ４はそれぞれ前記封止面Ｄ４´とＤ４に平行である。上記と同様に、取付け孔は図示していない。前記フレーム部材４０は、それぞれが部材区分４１，４４に垂直に隣接する２つの部材区分４１．１と４３．１を有し、当該部材区分４１，４４は同じように取付け孔を有してもよく（図示せず）、前記部材区分４１．１と４３．１に隣接する部材区分４２，４３は相互に垂直に合流する。
【００３０】
既に記載された全てのフレーム部材１０，２０，３０，４０は単一の材料からなり、断面対角線に対して対称になるように構成される。
【００３１】
図１２は本発明における第５実施例のフレーム部材５０の断面図を示し、当該フレーム部材５０は２つの部材部分Ｐ１，Ｐ２から組立てられることを特徴とする。前記部材部分Ｐ１，Ｐ２は異なる性質、例えば異なる機械的性質を有する。例えば、図示された実施例において、前記部材部品Ｐ１用の材料は、前記部材部品Ｐ２用よりも薄い材料が選択される。より壁の厚い前記部材部品Ｐ２は、２つの部材区分５５．２と５７．２を備え、当該部材区分５５．２と５７．２は、垂直に配置され、部材区分５６を介して接続され、当該部材区分５６は前記部材区分５５．２や５７．２と約１３５度の角度をなす。前記部材部品Ｐ１は部材区分５５．１を備え、当該部材区分５５．１は部材区分５５．２と隣接し、反対側は部材区分５４を介して部材区分５３に接続され、当該部材区分５３は、折返しシートからなり、それ故に前記部材区分５５．１や５４の倍の厚みを有する。前記部材区分５３は、約１３５度の角度で部材区分５２に切替わり、当該部材区分５２はそれから前記部材区分５３と同じ構造を有する部材区分５１まで続く。前記部材区分５１は部材区分５８を介して部材区分５７．１に接続され、当該部材区分５７．１は部材区分５７．２に隣接する。一緒に接合された前記部材区分５５．１と５５．２、あるいは５７．１と５７．２の自由端によって、封止面Ｄ５´，Ｄ５が定められ、図示された実施例においては、当該封止面Ｄ５´，Ｄ５は相互に垂直に延びる。シールとしては、例えば取外し可能なシール１３０を自由端領域、例えば前記部材区分５７．１，５７．２に被せてもよい。別の部材が前記シール１３０の現存する自由端に隣接させる場合、前記付け加えられたフレーム部材は、組立面Ｍ５が前記ラックの前記封止領域内の前記部材区分５１に接するようにほこりや湿気の遮蔽を形成する。別の組立面Ｍ５´は前記部材区分５３に面して定められる。前記部材部分Ｐ１，Ｐ２は本質的に方形の、あるいは正方形断面の中空空間５９を囲み、同時に提出された特許出願ＤＥ  １０  ２０１４  １０１０  ４０２．２に記載されているように、当該中空空間５９は機能中空空間として使用されてもよい。
【００３２】
図１３は、図１２における２つのフレーム部材５０，５０´を含む据付け例を示す。前記部材区分５１には、取付け用シャーシ１４０が前記ラックの内部領域から取付けられ、ラック５０の部材区分５３´には、取付け用シャーシ１４１が外側から取付けられる。よって図１３に示されているように、これは４つの組立面、すなわち外側の、しかしながら前記ラックの封止領域内に位置する面１および２と、さらに内側に位置する面３および４になる。
【００３３】
図１４および１５は、部材６０の断面図を示し、当該部材６０は水平部材として据付けられる。図１４および１５の部材形状は同一であり、据付け位置だけが異なる。水平部材は前記ラックの底領域の図１４の位置に据付けられる。一方で、図１５のフレーム部材は封止領域に据付けられる。前記水平部材６０を他の据付け位置で使用するには、軸Ａに対して１８０度回せばよい。
【００３４】
図１４から判るように、前記水平部材６０において、部材区分６１が折り返され、当該部材区分６１の自由端は封止面Ｄ６を定める。垂直に隣接する部材区分６２は組立面Ｍ６を定め、当該組立面Ｍ６は前記封止面Ｄ６に平行に延び、前記ラックの前記封止領域にある。前記部材区分６２に対して垂直に隣接する部材区分６３があり、当該部材区分６３は、今度は部材区分６４に対して垂直で、当該部材区分６４は隆起部Ｂを有し、当該隆起部Ｂの機能は同時出願の特許出願（代理人提出番号  Ｒ４１１３６）に記載されている。前記フレーム部材６０は部材区分６５によって補われ、当該部材区分６５は前記部材区分６３に平行で、前記ラックの前記底領域で使用されるときには、前記水平部材６０は前記部材区分６３を下にして置かれる。前記部材は垂直に延びる部材区分６６によって閉じられ、当該部材区分６６は前記部材区分６１に切替わる。前記部材区分６２，６３，６４には、取付け孔が孔の並びを形成するように設けられ、当該孔の並びは図１６に示される。
【００３５】
図１６は、ラックの一部の斜視図であり、当該ラックの底領域は図１２における水平部材から構成され、一方で垂直部材として、例えば図１における部材が使用される。部材区分１５，１７によって定められる垂直フレーム部材１０の封止面と、前記部材区分６１によって定められ、部材区分６１によって定められる２つの垂直フレーム部材１０に接合される前記水平部材６０が、取付け用プレートがそうであるように合致し、それによって、前記ラックの四方で、結果として周囲の取付けフレームが前記ラックの外側から利用可能であることは明白である。例えば、そのような取付け用フレームは、取付け用パネルを前記ラックに外側から取付けるために使用されてもよい。同様に、標準的な場合には、より軽いラックが完全装備の取付け用パネルに接して延び、当該より軽いラックもまた取付けをかなり容易にすることが考えられる。これで前記取付け用パネルが前記組立面、例えば底領域および天井領域の水平部材６０の前記組立面、前記垂直フレーム部材１０の前記組立面、あるいは底領域と天井領域の両方と側面の取付け孔に直接にネジ止めされてもよい。
【００３６】
しかしながら、図１７〜１９に関連して記載されているように、取付けサイドもまた使用され得る。
【００３７】
図１７は、ラックの角部を示し、当該ラックは水平フレーム部材６０と垂直フレーム部材１０から組立てられている。水平部材１０に近づくと、下部保持片１５０が受け止められ、当該下部保持片１５０は部材区分６３に配置され、部材区分６１に載置される。溝１５１が前記下部保持片１５０に構成され、当該下部保持片１５０は傾斜した巻込片１５２を介して利用可能である。
【００３８】
図１８は、どのようにパネル１７０が下部保持片１５０によって前記ラックの前記組立面とされるかを示す。通常、パネル１７０は安定性を増すために、少なくとも２つの反対サイドが丸められた部材区分１７１を備える。加えて、図１８における前記パネル１７０は、この傾斜部１７１から離れる折返し区分１７２を有し、当該パネル１７０は前記下部保持片１５０の溝１５１に嵌入する。図１６は、前記下部保持要素１５０の傾斜した巻込片１５２の上に傾斜して配置されるパネル１７０が差込溝１５１に容易に挿入され得ることを明確に示す。別の下部保持片１５０が前記ラックの反対側の角部に備えられ、それで前記パネル１７０は垂直フレーム部材１１０に近づきながら両サイドを確実に導かれる。前記パネル１７０はその後垂直に据付けられてもよい。
【００３９】
この終了位置は図１９に図示され、当該図１９は頂部領域におけるラックの角部を図示し、水平部材として、図１５に示される位置においてであっても、図１４におけるそのような水平部材が使用される。ここでまた、前記パネル１７０は１７１´の近くに折返し部１７２´を備える。水平部材６０にバネクリップ１８０が取付けられ、当該バネクリップ１８０の係止ラグ１８１は、垂直位置に据付けられている場合のパネル１７０の動作経路の垂直位置に位置する。折返し区分１７２´の自由端は、それから前記係止ラグ１８１が前記折返し区分１７２´の自由端を乗り越えるまで、前記係止ラグ１８１の傾斜した肩部１８２に沿って延び、前記係止ラグの溝に保持される。前記下部保持片１５０（あるいは各保持片）とバネクリップ１８０（あるいは各バネクリップを適切に）によって、前記パネル１７０は仮止めされ、それから最終的にネジ止めされる。
【００４０】
図１７に戻り、そこでプレート１６０が別の組立面に仮止めされ、当該プレート１６０は組立状態において、ラックの、あるいはその内部領域の分離に役立つことを付け加えるべきである。
【００４１】
本明細書、図面及び特許請求の範囲において開示された本発明の特徴は、個別でも、いかなる組み合わせでも、本発明を実施するために不可欠であり得る。
【図１】
0006479828.tif 000002
【図２】
0006479828.tif 000003
【図３】
0006479828.tif 000004
【図４】
0006479828.tif 000005
【図５】
0006479828.tif 000006
【図６】
0006479828.tif 000007
【図７】
0006479828.tif 000008
【図８】
0006479828.tif 000009
【図９】
0006479828.tif 000010
【図１０】
0006479828.tif 000011
【図１１】
0006479828.tif 000012
【図１２】
0006479828.tif 000013
【図１３】
0006479828.tif 000014
【図１４】
0006479828.tif 000015
【図１５】
0006479828.tif 000016
【図１６】
0006479828.tif 000017
【図１７】
0006479828.tif 000018
【図１８】
0006479828.tif 000019
【図１９】
0006479828.tif 000020